(57)【要約】【課題】  高耐久性且つ高輝度発光性の標識用シートであって、交通標識のように大型で高視認性が強く求められる標識装置に好適であり、薄型、軽量、かつ取り扱いが容易で設置場所も多様な標識装置を提供できるようにする。【解決手段】  アルミ板１の表面上に形成された陽極酸化膜２の微細溝２１内に発光体微粉末３が埋め込まれ、その上に絶縁層４、透明電極膜層５、フィルター７及び保護膜６が積層して形成される。【選択図】      図１
2005030158.tif 000002
【特許請求の範囲】
【請求項１】
アルミ板の表面に陽極酸化膜が形成され、この陽極酸化膜に形成された微細溝内に発光体微粉末が埋め込まれ、その上に電極膜層が形成され、さらにその上に保護膜が形成されたことを特徴とする標識装置。
【請求項２】
請求項１に記載の標識装置において、発光体微粉末の上に絶縁層が形成され、その上に上記電極膜層が形成され、上記アルミ板と上記電極膜層とを電極として、両者間に交流電圧が印加されるようになっていることを特徴とする。
【請求項３】
請求項１または２に記載の標識装置において、上記電極膜層が透明電極膜層であることを特徴とする。
【請求項４】
請求項１ないし３のいずれかに記載の標識装置において。上記微細溝は、直径が１〜１００ｎｍであることを特徴とする。
【請求項５】
請求項１ないし４に記載の標識装置において、上記微細溝は、深さが０．１〜１００μｍであることを特徴とする。
【請求項６】
請求項１ないし５のいずれかに記載の標識装置において、上記微細溝は、隣接する溝同士の間隔が１０〜２５０ｎｍであることを特徴とする。
【請求項７】
請求項１ないし６のいずれかに記載の標識装置において、上記微細溝は、規則配列されていることを特徴とする。
【請求項８】
請求項１ないし７のいずれかに記載の標識装置において、上記微細溝内に埋め込まれた発光材料は、上記微細溝内に封孔処理されていることを特徴とする。
【請求項９】
請求項１ないし８のいずれかに記載の標識装置において、透明電極層と保護層との間に、発光を透過する部分と発光を透過させない部分とを備えたフィルター層が介在されていることを特徴とする。
【請求項１０】
請求項１ないし７のいずれかに記載の標識装置において、上記発光体微粉末が高輝度発光性半導体からなることを特徴とする。
【請求項１１】
請求項１０に記載の標識装置において、上記高輝度発光性半導体が酸化亜鉛、硫化亜鉛の少なくとも一方を主成分とすることを特徴とする。
【発明の詳細な説明】
【技術分野】
【０００１】
この発明は、道路交通標識、鉄道標識や商業広告等に使用される照明付き標識シート及びこれ用いた標識装置に関する。
【背景技術】
【０００２】
一般に、標識装置として代表的なものは、道路に設置されている誘導案内装置、渋滞等の交通情報や速度注意のための警告情報を表示する道路交通標識、警報・注意の表示装置、高速道路等の電光表示板、工事・迂回等の案内表示装置などの道路標識や、鉄道における駅名・時刻表示盤、踏切の表示具等の鉄道標識がある。また、ビルなどの建築物に設置されるネオンサインも広い意味で標識装置であり、ネオンサイン以外のポスター等のその他の商業広告も標識装置に該当すると言える。
【０００３】
ところで、これらの標識装置は、比較的高速度で運行される車両運転者に標識装置を認識されることが必要であり、知覚された標識の内容が瞬時に判断しうることが必要である。即ち、遠くから見て視認性があることが必要であり、それなりの大きさを備えている（小さいものでは約０．５ｍ、大きいものでは５ｍ位あり）とともに、夜間における視認性が良好であることも要求されるため、従来、標識装置として何らかの照明機能を持たせることが行われている。
【０００４】
例えば道路交通標識の場合、標識前面に光を反射し易い処理を施し、特別に設けた照明装置や車両のヘッドライトのハイビームを利用して道路交通標識を外部から照明し、その反射光をドライバや歩行者が視認できるようにしてものが知られている。（例えば、特許文献１）
【０００５】
また、道路交通標識に照明手段を内蔵したもの、具体的には蛍光灯等の照明手段を内蔵した枠体に、標識の文字などが施された透光性を有するパネルを取り付け、内蔵した照明手段の光がパネルを透過することで外部から標識内容を視認できるようにしたものも知られている。（例えば、特許文献２）
【０００６】
更には、複数個の発光ダイオード（以下、ＬＥＤと称する）を配列して道路交通標識を形成するものが知られている。また、発光色の異なる複数個のＬＥＤを配列して標識デザインそのものを形成することも考えられ、例えば工事中の誘導路標識の場合、無地面には青色ＬＥＤを配列し、矢印図形には白色ＬＥＤを配列したものも知られている。（例えば、特許文献３）
【０００７】
また、車両のナンバープレートの場合、ナンバープレートの内側にＥＬ発光体等の照明手段を内蔵して、ナンバープレート自体を照明することで夜間における視認性を改善するようにしたものが知られている。（例えば特許文献４）
【０００８】
一方、鉄道標識である駅名表示盤や時刻掲示盤等では、従来上記した道路交通標識の照明手段を内蔵したものと同様の照明手法が採られている。
また、踏切用遮断機は、通常、竹製、アルミニウム製或いは合成樹脂製のポールの外面に黄色と黒色を交互に配色した縞模様を形成し、歩行者や車両の運転者に注意を促しているが、夜間や降雨時等において視認性が低下して遮断機の腕木を確認し難くなるという問題があり、夜間や降雨時における視認性の向上が望まれている。
そこで、踏切用遮断機に発光性を持たせたものが知られている。（例えば、特許文献５）この構成では、透明または半透明の中空棒状体からなる腕木の内面に、フィルム面に対し一定角度以上の入射角の光線は全反射し、それ以外の光線は透過させる微細プリズム構造（再帰性反射）を有する透明透光フィルムを配設し、腕木の根元側に光源を配設するようになっている。これにより腕木の例えば黄色部分が発光するため、夜間や降雨時であっても視認性が良好になる。
【０００９】
標識装置として、エレクトロルミネセンス素子（ＥＬ）からなるシート状の発光手段を用いることが知られている。（例えば特許文献６）このものでは、エレクトロルミネセンス素子（ＥＬ）からなるシート状の発光手段を有し、この発光手段の発光時に予め定められた文字、図柄等が表出されるべく所定の標識デザインが施されたデザインフィルムが発光手段に貼付されており、この発光手段及びデザインフィルムの重合体を保護膜で包被した構成である。
【００１０】
【特許文献１】特開２０００―１１０１２４号公報
【特許文献２】実開平０７−０２０６９８号公報
【特許文献３】特開２００３−０４３９５７号公報
【特許文献４】特開平１０−０８１１７９号公報
【特許文献５】特開平０５−３０５８７０号公報
【特許文献６】特開２００２−０９１３５１号公報
【発明の開示】
【発明が解決しようとする課題】
【００１１】
しかしながら、例えば特許文献１のように、上記した従来の反射光による照明を用いたものでは、特別な照明装置が必要になり、非常に大掛かりで高価になるという問題があり、自動車のヘッドライトを利用する場合でもドライバがヘッドライトをロービームにしているときにはヘッドライトの光が高所の道路交通標識に届きにくいため、ドライバは道路交通標識を認識しずらく道路交通標識としての効果が十分に発揮されていない。
【００１２】
また、例えば特許文献２のように、道路交通標識に蛍光灯等の照明手段を内蔵した場合には、道路交通標識そのものが縦横２〜３ｍと比較的大きいため、用いる蛍光灯のサイズも必然的に大きくなり、結果的に照明内蔵型の道路交通標識全体が大型化して重量も重く、取り扱いが非常に不便になり、それを支える支持構造も大掛かりになるという問題がある。
【００１３】
更に、例えば特許文献３のように、多数のＬＥＤを配列して道路交通標識を形成する場合には、多数のＬＥＤを必要とし、多色構成の場合には標識の色に合致した発色ＬＥＤを得ることは大変困難で、各ＬＥＤを駆動する電源も大掛かりになることから、非常に高価になるという問題がある。また、ＬＥＤの場合、標識を構成する多数のＬＥＤの中でいくつかが破損した場合には、標識内容を完全に表出することができなくなるという不都合も生じる。しかも、現在市販されているＬＥＤの輝度はあまり高くないため、夜間は発光色によって標識内容を確認できても、昼間は周囲の明るさに負けて発光色による標識内容を確認することが殆どできないという問題がある。特許文献４のように、ＬＥＤを用いたナンバープレートにしても、特許文献３と同様な問題を有する。
【００１４】
一方、駅名表示盤や時刻掲示盤等の鉄道標識における照明の場合、構造的に非常に大掛かりで重量も重くなって取り扱いが困難になるという問題がある上に、これらの設置位置が駅のホームの支柱部分や天井の梁等、特定の場所に限定されてしまうという問題もある。また、特許文献５のように、踏切用遮断機に発光性を持たせたものにおいては、光源からの光の反射を利用しているだけであり、視認性が不足する。特に特殊なプリズム構造を有するフイルムを設けるために、コストが高く、且つ耐久性に劣る。
【００１５】
また、商業広告の場合、ネオンサインは夜間でも視認できる面で効果はあるものの、ネオンサインで表出できる内容が非常に限定されるため、広告機能を十分に発揮することができない。一方、広告用看板を外部の照明手段により照明するものでは、上記した道路交通標識と同様に、照明手段が非常に大掛かりになるという問題がある。更に商業広告の場合、上記した既存の照明手段によるものでは、デザイン的な価値が低く、広告機能の面であまり優れたものが得られないという特有の問題もある。
【００１６】
標識装置として、例えば特許文献６では、有機ＥＬ素子からなるシート状の発光手段を用いたものでは、発光手段の発光時に予め定められた文字、図柄等が表出されるべく所定の標識デザインが施されたデザインフィルムが発光手段に貼付されており、この発光手段及びデザインフィルムの重合体を保護膜で包被した構成である。このような構成によれば、発光手段そのものがシート状であるため、標識装置全体が薄く、薄型、軽量であり、取り扱いが容易である。
しかし、有機ＥＬ素子は太陽光線、とりわけ紫外線に弱く、劣化が著しく、耐久性に劣る。その上、発光体の輝度が低く、視認性に劣る問題点を有する。
【００１７】
本発明の目的は、上記従来技術の問題点に鑑みて、高耐久性且つ高輝度発光性の標識用シートを提供すること、その上、薄型、軽量、かつ取り扱いが容易で設置場所も多様な標識装置を提供できるようにすることにある。
【課題を解決するための手段】
【００１８】
上記した課題を解決するために、本発明は、アルミニウム板の陽極酸化膜の微細溝内に発光体微粉末を充填し、これを標識装置として使用することにある。
【００１９】
具体的には、請求項１の発明は、アルミ板の表面に陽極酸化膜が形成され、この陽極酸化膜に形成された微細溝内に発光体微粉末が埋め込まれ、その上に電極膜層が形成され、さらにその上に保護膜が形成されている構成である。
【００２０】
この構成では、耐食性に優れる陽極酸化膜内に発光体が埋め込まれるので、発光体の耐久性に優れる。その上、発光体の微粉末が陽極酸化膜の微細溝、特にナノ規模の超微細溝に充填されるので、薄型で軽量の標識装置を得られるとともに、量子効果によって通常より格段に優れた輝度を得られる。
【００２１】
請求項２の発明は、請求項１に記載の標識装置において、発光体微粉末の上に絶縁層が形成され、その上に上記電極膜層が形成され、上記アルミ板と上記電極膜層とを電極として、両者間に交流電圧が印加されるようになっているものであるので、発光体の発光輝度性に優れた標識装置を得られる。例えば、従来の発光体に比較して５〜１０倍以上の輝度を発することができる。特に、アルミ板を一方の電極として直に使用するので、簡単な構造とすることができ、製造が容易であり、低コストで得られる。
【００２２】
請求項３の発明は、請求項１または２に記載の標識装置において、上記電極膜層が透明電極膜層であるので、この電極膜層によって視認性が妨げられないので、表示性に優れた標識装置を得られる。
【００２３】
請求項４の発明は、請求項１ないし３のいずれかに記載の標識装置において、上記微細溝は、直径が１〜１００ｎｍであるので、高輝度及び高耐久性に優れた標識装置を得られる。
【００２４】
請求項５の発明は、請求項１又は４に記載の標識装置において、上記微細溝は、深さが０．１〜１００μｍであるので、高輝度及び高耐久性をさらに向上できる。
【００２５】
請求項６の発明は、請求項１ないし５のいずれかに記載の標識装置において、上記微細溝は、隣接する溝同士の間隔が１０〜２５０ｎｍであり、微細な間隔で発光体微粉末を配設できるので、発光性能に優れ、視認性に優れた標識装置を得ることができる。
【００２６】
請求項７の発明は、請求項１ないし６のいずれかに記載の標識装置において、上記微細溝が規則配列されることによって、広範囲の面積領域で均等な発光体を得られるので、文字や図形のデザインなど自由度が高く、表現性に優れた標識装置を得られる。例えば、透明電極膜層と保護膜との間に表示文字や表示図形を表現したフィルターを設けることによって、自由なデザインの発光レイアウトを表現できる。
また、陽極酸化膜の微細溝の中で、発光体微粉末が埋め込まれない微細溝に予め埋め込み阻止処理など、発光体微粉末が埋め込まれない処理を施しておき、それから発光体微粉末を微細溝に埋め込むことによって、発光体微粉末を埋め込む領域を設定してよい。または、この処理によって、発光体微粉末を埋め込む領域を大まかに設定し、上記フィルターでさらに発光する領域を設定するようにしても良い。
上述したように、発光体を埋め込む領域を予め設定することによって、無駄な発光体充填を防止することができるだけでなく、発光体の表示領域を明確にでき、視認性に優れた表示装置を得られる。
【００２７】
請求項８の発明は、請求項１ないし７のいずれかに記載の標識装置において、上記微細溝内に埋め込まれた発光材料は、上記微細溝内に封孔処理されているので、発光体の耐久性に優れた標識装置を得られる。
【００２８】
請求項９の発明は、請求項１ないし８のいずれかに記載の標識装置において、透明電極層と保護層との間に、発光を透過する部分と発光を透過させない部分とを備えたフィルター層が介在されているので、自由なデザインの発光レイアウトを表現できる。
【００２９】
請求項１０の発明は、請求項１ないし９のいずれかに記載の標識装置において、上記発光体微粉末が高輝度発光性半導体からなるので、発光輝度性に優れた標識装置を得られる。
【００３０】
請求項１１の発明は、請求項１０に記載の標識装置において、上記高輝度発光性半導体が酸化亜鉛、硫化亜鉛の少なくとも一方を主成分とするので、さらに発光輝度性に優れた標識装置を得られる。
【００３１】
本発明では、アルミ板の表面に陽極酸化膜を形成し、この陽極酸化膜の表面に形成されるナノ規模の微細溝に発光体微粉末を埋め込み、さらに、必要によってその上に絶縁層、透明電極膜層、フィルター及び保護膜を形成するようにしたものであるが、陽極酸化処理や封孔処理は一般的に知られている処理を応用すればよいものである。
絶縁層、透明電極膜層、フィルター及び保護膜は、それぞれ接着剤等で被覆接着すればよい。尚、絶縁層は、後述するように、発光体微粉末と同様に微細溝内に充填しても良い。
【００３２】
本発明の微細溝は、直径が１〜１００ｎｍ（ナノメーター）であることが好ましい。直径が１ｎｍより少ないと、安定してこの大きさを得ることが難しく、さらに微粉末を充填することが困難であり、実用性に乏しい。また、１００ｎｍを超えると、ナノ規模の量子効果が低下するので、好ましくない。特に２〜５０ｎｍの範囲がさらに好ましい。当然であるが、上記数値は、全ての微細溝の値が同じでこの値になるというのではなく、この値が中心であることを意味するものであり、バラツキはあるものである。他の数値についても同様である。
【００３３】
微細溝の深さは０．１〜１００μｍであることが好ましい。微細溝の深さは陽極酸化膜の形成厚さに影響され、陽極酸化処理によって設定される。この微細溝の深さは、発光体微粉末が適性量充填される深さであればよく、深すぎて陽極酸化膜層による絶縁機能が劣化しても良くない。そのために上記の範囲に設定される。さらに好ましくは、１〜５０μｍの範囲が好ましい。
【００３４】
上記微細溝は、隣接する溝同士の間隔が１０〜２５０ｎｍであることが好ましい。間隔が狭すぎると絶縁性に劣り、広すぎると発光体の間隔が広くなり発光時の視認性に劣る。従って上記範囲とすることが好ましい。さらに好ましくは７０〜１２０ｎｍ範囲とすることが好ましい。
【００３５】
絶縁層、透明電極膜層は、０．０１〜１μｍ、特に０．１〜０．５μｍとすることが好ましい。薄すぎると本来機能に劣るし、厚すぎると発光体の透過性に劣るので、上記範囲とすることが好ましい。
【発明の効果】
【００３６】
以上のように、本発明によれば、アルミ板の表面上に形成された陽極酸化膜内の微細溝内に発光体微粉末が埋め込まれ、その上に電極膜層が形成され、さらにその上に保護膜が形成されたシートであるので、装置全体が非常に薄いものとなり、従来の照明機能を備えたものと比較しても薄型、軽量であり、取り扱いが非常に容易になる。特に、発光体としての輝度特性に各段に優れ、従来のものに比較して視認性が非常に高く、耐久性も著しく優れたものが得られる。
従って、道路の交通標識、鉄道標識などのように、大型で視認性に優れ、且つ瞬時の識別性が求められる標識装置として非常に有用なものである。
【発明を実施するための最良の形態】
【００３７】
この発明の第１実施形態について、図１ないし図５により説明する。図１は本標識装置の構成を示し、図２は陽極酸化膜の表面電子顕微鏡写真を示し、図３は図２の断面図を示す。図４は陽極酸化膜の微細溝に発光体微粉末を埋め込んだ状態を示す電子顕微鏡写真を示す。１はアルミニウム板であり、２はアルミニウム板の両表面に施した陽極酸化処理で形成された陽極酸化膜を示す。陽極酸化膜２には、ナノ規模の微細溝２１が規則配列されて形成されている。この第１実施形態では、直径３５ｎｍ・深さ１０μｍの微細溝２１が、７０ｎｍ間隔で規則配列されて形成されている。図４に示すように、電気メッキ法で、陽極酸化膜２の微細溝２１に発光体微粉末３として酸化亜鉛（ＺｎＯ）が充填され、封孔処理されている。
【００３８】
図５は、陽極酸化処理したアルミ板のフォトルミネッサンス特性を示すものであって、発光体微粉末を充填する前の状態を示す。横軸が波長を示し、縦軸が発光輝度を示す。波長４５０ｎｍあたりに高い輝度を持つ発光ピークがあることが図５から解かる。このことから、ナノ規模の微細溝２１を形成するだけでも、陽極酸化膜２が高い発光性を有することが解かる。
本発明では、標識装置として使用するために、さらに高い発光輝度性を発揮させる必要があり、陽極酸化膜に形成したナノ規模の微細溝内に発光体微粉末３を充填したものである。
ナノ規模の微細溝にナノ規模の半導体製発光体の微粉末を埋め込むと次のような効果が期待できる。半導体製発光体として、酸化亜鉛等の酸化物半導体系の物質を用いた場合では、酸素欠損が発光中心になることが判っているが、この半導体をナノ単位の微粉末にすると、酸素欠損が大きくなり、著しく発光強度が増加することが見込まれる。また、硫化亜鉛（ＺｎＳ）等の半導体は、ナノ領域に閉じ込めると、量子効果によって、通常のサイズの物質よりも十倍以上の輝度を発揮すると予測されている。
【００３９】
４は絶縁層を示す。５は透明な電極層であり、発光層３上に積層して形成されたＩＴＯ（酸化インジウム錫）等からなる。これら絶縁層４及び透明電極膜層５は、０．０１μ〜１μの薄い膜で形成する。
アルミ板１、陽極酸化膜２、発光体微粉末３、絶縁層４及び透明電極層５によりエレクトロルミネセンス素子からなる発光手段が構成されている。即ち、アルミ板自体１を一方の電極とし、透明電極５を他方の電極として、両者間に通電した場合、陽極酸化膜中の発光体３とアルミ板１とは陽極酸化膜２の酸化アルミナ層で絶縁され、他方の電極５とは絶縁層４で絶縁されるので、発光体３がエレクトロルミネセンスとして高輝度で発光する。
【００４０】
６は保護膜であり、防湿性を有するポリエチレンフィルムからなり、フィルター７の上にパッケージするように被覆され、内部の発光体３、絶縁層４、透明電極膜層５及びフィルター７を保護している。
７はフィルターであり、透明なＰＥＴ（ポリエチレンテレフタレート）フィルムにカラーインクを噴射することにより、所定のデザインが印刷されて形成され、透明電極層４上に接着剤等により接着される。このフィルター７に発光体が透過する文字や図形を図案化したものを用いる。また、カラー表示をするようにしても良い。
【００４１】
本発明の標識装置は、ナノ規模の微細溝に微粉末発光体を埋め込んだので、長時間の点灯駆動でも殆ど発熱がない。その上、アルミナ層の陽極酸化膜２は耐食性に優れ、機械的強度に優れるので、この陽極酸化膜２の微細溝２１内に埋め込まれている発光体微粉末３の耐久性は非常に優れ、長期使用に耐えられるものが得られる。また、アルミ板に陽極酸化膜を形成すること及びこの陽極酸化膜の微細溝に発光体微粉末を充填する方法は低コストで実現できるので、実用性に優れたものが得られる。
【００４２】
ここで、例えば図６に示す進入禁止標識の場合について説明する。円形アルミ板１の両面に陽極酸化処理が施され、一方の表面の陽極酸化膜２の微細溝２１に発光体微粉末３がメッキ処理で充填され、この陽極酸化膜２の上に、絶縁層４及び透明電極膜層５が接着剤等によって被覆される。
【００４３】
そして、ＰＥＴフィルター７のうち、図中に黒地に表われる部分に赤色インクが噴射されることによって形成されたフィルター７が透明電極層５の上に接着される。さらにその上に保護膜６が被覆される。
【００４４】
上記実施形態では、アルミ板１の両面に陽極酸化膜２を形成したが、発光体微粉末を埋め込まないほうの陽極酸化膜２のアルミナ層はアルミ板１の腐食防止としての機能を果す。
なお、両面を標識装置として使用する場合には、他方の陽極酸化膜にも、一方の陽極酸化膜２と同様に、発光体微粉末３を充填し、絶縁層４、透明電極膜層５、フィルター７保護膜６を設けて、両表面に発光表示機能を持たせるようにしても良い。
また、他方側の表面がアルミ板のままでも良い場合には、発光機能を必要とする側のみに陽極酸化処理を施すようにしても良い。
【００４５】
駆動電源としては、通常の交流電源が使用される。また、駆動電源に太陽電池を組み合わせて省エネルギ化を図るようにしても良い。
【００４６】
上記した実施形態によれば、アルミ板そのものがシート状であり、その上に薄い膜を形成したものであり、標識装置全体が非常に薄い板状のものとなり、従来の照明機能を備えたものと比較しても薄型、軽量であり、取り扱いが非常に容易になり、従来よりも設置作業を極めて簡易に行うことができるのはいうまでもなく、建造物の壁面に出っ張らずに、しかも人や車両の往来の妨げに成ることなく標識装置を接着することが可能であるため、設置場所も従来のように限定されることがない。
【００４７】
更に、フィルター７として、デザインに応じたカラー印刷により透明なＰＥＴフィルムに透光性を有する着色を施して形成されたものを使用することによって、夜間は発光体３の光の照明により標識内容を視認することが可能であるのは言うまでもなく、昼間には発光させなくてもカラー印刷されたデザインから標識内容を視認することも可能である。
【００４８】
上記実施形態では、発光体微粉末３が微細溝２１に埋め込まれた後、封孔処理し、その表面に絶縁層４を被覆しているが、発光体微粉末３が微細溝２１に埋め込まれた後、絶縁層もこの微細溝内に埋め込み、その後封孔処理するようにしても良い。
【００４９】
上記実施形態では、発光体微粉末としてＺｎＯ、ＺｎＳを説明したが、これらの物質に限られるものではなく、他の発光性半導体、例えばＳｒＳ、ＣａＧａ２Ｓ４、ＳｒＳｅ、ＳｒＣａ２Ｓ４、ＺｎＭｇＳ、ＣａＳなどの発光性半導体の組成物も使用できる。
【図面の簡単な説明】
【００５０】
【図１】本発明の第１実施形態の標識装置の構成を示す。
【図２】第１実施形態の陽極酸化膜の表面電子顕微鏡写真を示す。
【図３】図２の断面図を示す。
【図４】本発明において、陽極酸化膜の微細溝に発光体微粉末を埋め込んだ状態を示す電子顕微鏡写真を示す。
【図５】本発明において、陽極酸化処理したアルミ板のフォトルミネッサンス特性を示す
【図６】本発明の１つの適用例を示す。
【符号の説明】
【００５１】
１        アルミ板
２        陽極酸化膜
２１        微細溝
３        発光体微粉末
４        絶縁層
５        透明電極膜層
６        保護膜
７        フィルター層
【図５】
2005030158.tif 000003
【図１】
2005030158.tif 000004
【図２】
2005030158.tif 000005
【図３】
2005030158.tif 000006
【図４】
2005030158.tif 000007
【図６】
2005030158.tif 000008